Podtech/llm-jp-corpus-v4-ja_patent huggingface dataset:
(57)【要約】【課題】  将棋や囲碁の遊びがあるが、コマの意味が複雑であったり、勝敗まで時間がかかりすぎることが多かった。【解決手段】  マスの数が少ない７×７マスの盤を使い、じゃんけんの規則の意味を持ったコマ（１）、（２）、（３）の９枚２組みのコマをならべ、交互にコマをすすめ相手の陣地（５）に先にはいることで勝敗を決めることを特徴とする。  マス目が少ないのでのではやく勝敗が決まるし、コマの意味は誰もが知っているので分かりやすい。【選択図】  図１
2005046573.tif 000002
【特許請求の範囲】
【請求項１】
７×７マスの盤と９枚２組みのジャンケンの意味を有するコマを使用することを特徴とする遊戯具。
【発明の詳細な説明】
【発明の詳細な説明】
【技術分野】
【０００１】  この発明は、ふたりで７×７マスの盤上に９枚２組みのコマをならべ、一定の規則に従い交互にコマを動かし、最初に相手の陣地入ることで勝敗を決める遊戯具である。
【背景技術】
【０００２】  従来の将棋とか囲碁は勝敗までの時間がかかりすぎ、コマの複雑な規則、意味、動きなどで理解するまで困難をともなった。
【発明が解決しようとする課題】
【０００３】  本発明は短時間で勝敗が決まり、コマの規則、意味、動きが簡単に理解でき、将棋などのように遊べることを課題とする。
【問題を解決するための手段】
【０００４】  以上の課題を解決するために、請求項１の発明は、７×７の少ないマス目の盤面とジャンケンの意味を持たせたコマで構成する。
【発明実施の形態】
【０００５】  この発明の一実施形態を、図１に示す。
じゃんけんのグー（１）チョキ（２）パー（３）を表す３種類のコマを９枚ずつ７×７マスの盤（４）に並べる。交互にコマをすすめ、相手の陣地（５）にいずれかのコマが入ることによって勝敗が決まる。
【発明の効果】
【０００６】  以上説明したように、この発明によれば、誰でもコマの規則、意味、動きを簡単に理解し、少ないマス目により短時間で遊べる。
また、この発明によれば、知育玩具としても使用でき、本発明はデザイン性にも優れインテリア用品にもなる。
【図面の簡単な説明】
【図１】本発明の平面図である。
【符号の説明】
１はじゃんけんのグーを表すコマ、２はチョキを表すコマ、３はパーを表すコマ
４は盤、５は盤面の陣地
【図１】
2005046573.tif 000003
(57)【要約】【課題】本発明は、腰部に巻きつけて使用するが、腰痛だけでなく、骨盤と股関節のバランスを整えて、骨盤と股関節を安定させるために使用するサポーターで、装着部の蒸れなどが少なく、使用感の良好な骨盤と股関節を安定させ左右のバランスを整えるサポーターを提供する。【解決手段】伸縮自在の帯状で弾力のある素材の帯状の本体（１ａ）、（１ｂ）、（１ｃ）を複数本重ね合わせ両端に端部（２）、端部（３）に連結するための手段を設け、本体（１ａ）と本体（１ｂ）の一部につなぎ目（４）を設け、本体（１ｂ）と本体（１ｃ）の一部につなぎ目（５）を設けたことを特徴とする。【選択図】図１
2005046581.tif 000002
【特許請求の範囲】
【請求項１】
伸縮自在の帯状で弾力のある素材の帯状の本体（１ａ）、（１ｂ）、（１ｃ）を複数本重ね合わせ両端に端部（２）、端部（３）に連結するための手段を設け、本体（１ａ）と本体（１ｂ）の一部につなぎ目（４）を設け、本体（１ｂ）と本体（１ｃ）の一部につなぎ目（５）を設けたことを特徴とする骨盤と股関節を安定させ左右のバランスを整えるサポーター。
【発明の詳細な説明】
【技術分野】
【０００１】  本発明は、腰部に巻きつけて使用するが、腰痛だけでなく、骨盤と股関節のバランスを整えて、骨盤と股関節を安定させ左右のバランスを整えるために使用するサポーターで、装着部の蒸れなどが少なく、使用感の良好な骨盤と股関節を安定させ左右のバランスを整えるサポーターに関するものである。
【背景技術】
【０００２】  従来、腰痛のときに使用するものは、腰部を固定するコルセットなどがあった。
このコルセットは、装着したままでは、腰部の運動ができない欠点があった。
他にも、腰美容ゴムバンド（実用新案登録第３０３２０７８号）、矯正ゴムバンド（実用新案登録第３０１９９８０号）、骨矯正ゴムバンド（実用新案登録第３０２０６１１号）、骨盤ゴムバンド（実用新案登録第３０２７３０１号）、骨盤矯正ベルト（実用新案登録第３０４６８０３号）、姿勢矯正ベルト（特開２００１−１７４５６）などがある。
【発明の開示】
【発明が解決しようとする課題】
【０００３】  従来の物には、次のような問題点があった。
このコルセットは、装着したままでは、腰部の運動ができなかった。
着用時間が長いと、腰部や腹部に圧迫感を感じ、不快感を与えていた。
骨盤の歪みは、頭痛、肩こり、腰痛、関節痛、冷え性、便秘、生理痛、生理不順など招いていた。
骨盤の歪みは、代謝を悪くしたり、  太る原因にもなっていた。
本発明は、以上のような欠点を解決するために考えたものである。
【課題を解決するための手段】
【０００４】  伸縮自在の帯状で弾力のある素材の帯状の本体（１ａ）、（１ｂ）、（１ｃ）を複数本重ね合わせ両端に端部（２）、端部（３）に連結するための手段を設け、本体（１ａ）と本体（１ｂ）の一部につなぎ目（４）を設け、本体（１ｂ）と本体（１ｃ）の一部につなぎ目（５）を設ける。
以上のようなことを特徴とする骨盤と股関節を安定させ左右のバランスを整えるサポーターである。
【発明の効果】
【０００５】  サポーターで尻部下辺を支え、尻部外周を押さえているので、腰部尻部、股関節を安定させる効果がある。
サポーターを尻部に当てて、腰部、股関節を安定しながら、どのような運動もできるようになった。
尻部の下方を上方に押し上げる形となるので、ヒップアップの効果がある。
ヒップアップ用として、サポーターの中に手を入れ、周辺の肉をサポーターの中に入れて、お尻の型を整えることも可能になった。
体のバランスを整えることにより、血行を良くする。
着用時のずり上がりを防止し、適正な締め付けの位置を保持できる。
着用するだけで、骨盤の補正ができる。
骨盤の歪みによる、頭痛、肩こり、腰痛、関節痛、冷え性、便秘、生理痛、生理不順などの、こういった不快な症状を改善する効果がある。
骨盤の歪みを解消でき、代謝も良くなり、太る原因であるホルモンのバランスを整えることができる。
尻部は、すっぽりサポートが出来て、前側の恥骨周辺が邪魔にならないように、細くしているため、長時間使用が可能になった。
【発明を実施するための最良の形態】
【０００６】  以下、本発明の実施の形態について説明する。
伸縮自在の帯状で弾力のある素材の帯状の本体（１ａ）、（１ｂ）、（１ｃ）を複数本重ね合わせ両端に端部（２）、端部（３）に連結するための手段を設け、本体（１ａ）と本体（１ｂ）の一部につなぎ目（４）を設け、本体（１ｂ）と本体（１ｃ）の一部につなぎ目（５）を設ける。
端部（２）、端部（３）の大きさは、身体の大きさに対応できるようにする。したがって、特に限定しない。
端部を連結するための手段は、実施例では、マジックテープ（登録商標）を利用した。
他の実施例として、端部を連結するための手段は、ファスナー、カギホックなどでも良い。
サポーター着用時に、ずり上がりを防止し、適正な使用位置を保持することができる。
身体が大きい人や大きな尻部の人の場合は、伸縮自在の帯状で弾力のある素材の帯状の本体（１ａ）、（１ｂ）、（１ｃ）の本数を増やせば良い。
また、帯状の本体を細めにして本数を増やせば、強度を高めることができる。
本発明は、以上のようなことを特徴とする骨盤と股関節を安定させ左右のバランスを整えるサポーターである。
次にこの発明の使い方を説明する。
本発明のサポーターの両端を両手で持ち、サポーターを広げた状態で、尻部の中央に当て、サポーターを引き伸ばしながら端部を体の前部の恥骨上で結合させる。
全体を伸ばして、実施例では、マジックテープで止める。
腰部を軽く押さえられ、骨盤の安定をはかるとともに、尻を下方より上に持ち上げ、さらに、サポーターの中に手を入れ、周辺の下っている肉を集め、型を整えると、ヒップアップも同時にできる。
本発明は、腰というより、お尻にかかるようにして使う。
本発明は、下着同様、お風呂とトイレ以外は、常に着用しておくと効果的である。
【図面の簡単な説明】
【０００７】
【図１】  本発明の正面図である。
【図２】  本発明の使用状態を示した説明図である。
【図３】  本発明の使用状態を示した説明図である。
【図４】  本発明の使用状態を示した説明図である。
【符号の説明】
【０００８】    １ａ  本体
１ｂ  本体
１ｃ  本体
２    端部
３    端部
４    つなぎ目
５    つなぎ目
【図１】
2005046581.tif 000003
【図２】
2005046581.tif 000004
【図３】
2005046581.tif 000005
【図４】
2005046581.tif 000006
(57)【要約】〔課題〕家庭で手軽に失敗なく温泉たまごができる容器の提供〔解決手段〕発泡スチロール箱（１）の底部内面（２）を色つきとし四方側部内面（３）を白色とする。あるいは配色を逆とし側部内面下方に水量目盛（４）を刻む。この箱の中に沸騰した湯を入れたまごを蒸気でむらす。【選択図】図２
2005046582.tif 000002
【特許請求の範囲】
【請求項１】
発泡スチロール箱（１）の底部内面（２）を色つきとし四方側部内面（３）を白色とする。あるいは配色を逆とし側部内面下方に水量目盛（４）を刻んだ温泉たまごをつくる容器（図２使用）
【発明の詳細な説明】
【発明の詳細な説明】
この発明は発泡スチロールの断熱保温作用を利用し温泉たまご（半凝固たまご）をつくろうとする容器に関するものである。温泉たまごをつくろうとする場合冷水から火にかけてつくるにせよ、ある程度の温水からつくるにせよ鍋を火にかけている時間、火の強弱湯の温度等に常に気を配らなければならず又たまごと熱湯が直接触れるので熱の伝導が急であり強である。このことによりできあがったかなと取り出して割ってみたら外側の白味だけ半熟凝固し殻にへばりつき黄味は半生状態だったというようなことがよくあります。このように一般家庭で温泉たまごをつくるにはそれなりの経験やテクニック、又手間を要するため普通のゆでたまごはつくっても温泉たまごはあまりつくらないのが現状です。用具さえあれば一般家庭でも気軽につくるでしょうがそのようなものは今までなかったように思われます。本発明はこのような欠点を除くためになされたもので考案者はまず次のように考えた。◎湯からたまごへの熱の直接伝導を止め蒸気でむらす間接伝導とする。◎１００℃の沸騰した湯を使う。スタート時が１００℃なら万人にわかり易い。◎熱をできるだけ逃がさないために発泡スチロール箱を使う。そして中段に網棚を設けそれにたまごを乗せて蒸気でむらす。◎たまご１個につき何ｃｃの熱湯が必要か？箱の容量はどれくらいのものが適当か？◎一般家庭では５〜６個つくれればよいのではないか？これらについて実験してみた。つくれる個数を６個用とし箱の容量は２０ｃｍ×１５ｃｍ×１０ｃｍの３０００ｃｍ３スタート時のたまごの温度も一定にしなければならぬので使用たまごは冷蔵庫冷却中のもので（６°〜７°）Ｌ寸玉とした。その結果たまご１個を半凝固させそれ以上固くならない湯量は５００ｃｃ、１個増える毎に１００ｃｃあればよいことが分った。この実験を図に示せば図１  発泡スチロール箱（Ａ）網棚（Ｂ）湯（Ｃ）たまご（Ｄ）で実験結果から同寸法の箱と網と計量カップがあれば簡単に温泉たまごはつくれるのである。しかし５００ｃｃ〜６００ｃｃ〜７００ｃｃなどと水量を計って入れるのもなかなか面倒であり独身者などは計量カップも持っていないと思われる。それならば箱の底部に目盛を刻み水量を計ればよいのだが、これが１ｃｍ未満の単位の目盛を箱の底で正確に見極めるのはとても困難なのである。それは水は無色透明であることと箱の底部の目盛を上から見なければならず目線を目盛の線まで持っていけないからである。計量カップを使わず水の量を正確に計るにはどのようにすればよいのか考案者はこのようなものを作りました。それを図について説明すれば、図２発泡スチロール箱（１）の底部内面（２）を色つき（例えば青赤等）とし四方側部内面（３）を白色とする。この（３）の下方に水量目盛（４）を刻む。この容器に水を注げば水は色つき底部の色と同じ色に見えはっきりと白色内面に水面を現わす。白色の地に色つきの水が現われるのだからこんなに見易いものはない。数ｍｍ単位の目盛でも正確に合わせることができる。尚目盛部をやや斜めにすれば図３の如く更に見易くなる。色の配色を逆にすれば白色水が現われるが、これはやや前者に劣る。これで水の量を計る課題はクリアしたので図４の如く１個ずつについての水の量を下から１、２、３、４��５、６、と目盛っておけばよい。最初からの使用法を説明すれば例えば５個つくりたい場合１．箱に水を注ぎつくりたい数の５にあわせる２．箱の水を鍋に移し火にかけ沸騰させる３．沸騰した湯を再び箱の中に入れ替え網棚にたまごを並べ置きふたをするこれだけでとても簡単に温泉たまごができあがるのである。尚約２時間後にできあがる。２時間後に取り忘れて放っておいても中の湯にはそれ以上中味を硬くするエネルギーは残っていないので安心である。  前記の結果として１．家庭で簡単にしかも失敗することなく温泉たまごがつくれるようになった。２．市販のできあがったものを買うよりもとても経済的である。３．普通のゆでたまごより消化吸収がよく子供から老人まで、又病人の方にも健康に寄与できる。
【図面の簡単な説明】
【図１】実験断面図
【図２】考案箱の内部の斜視図
【図３】目盛を見易くする構造図
【図４】目盛の部分図
【符合の説明】
図１  Ａ発泡スチロール箱  Ｂ網棚  Ｃ沸騰した湯  Ｄたまご図２  １発泡スチロール箱  ２底部内面  ３側部内面  ４目盛  ５網棚ヶ所
【図１】
2005046582.tif 000003
【図２】
2005046582.tif 000004
【図３】
2005046582.tif 000005
【図４】
2005046582.tif 000006
(57)【要約】【課題】ガラスの位置又は付着物の状況によっては、洗浄液に超音波を照射したときの振動が伝わらず、期待される効果が十分得えられない場合や、ガラスの洗浄に時間が掛かっていた。【解決手段】水または洗浄液を貯水する貯水槽と、該貯水槽の下部に前記水または洗浄液に振動を与える振動発生装置と、貯水槽の上部にはモータに直結したプーリーと、該プーリーに接続された回転軸、揺動を発生するカムフロアからなる第１の揺動機構と、前記モータで発生した回転力を第２の揺動機構に伝達するためのベルトを設けた洗浄装置であり、前記回転軸に被洗浄体を収納したホルダーを載置するガラス基板洗浄装置。【選択図】図１
2005046687.tif 000002
【特許請求の範囲】
【請求項１】
水または洗浄液を貯水する貯水槽と、該貯水槽の下部に前記水または洗浄液に振動を与える振動発生装置と、貯水槽の上部にはモータに直結したプーリーと、該プーリーに接続された回転軸、揺動を発生するカムフロアからなる第１の揺動機構と、前記モータで発生した回転力を第２の揺動機構に伝達するためのベルトを設けた洗浄装置であり、前記回転軸に被洗浄体を収納したホルダーを載置することを特徴とするガラス基板洗浄装置。
【請求項２】
前記、振動発生装置は、超音波発生装置であることを特徴とする請求項１記載のガラス基板洗浄装置。
【発明の詳細な説明】
【０００１】
【発明の属する技術分野】
本発明は、洗浄槽に取り付けられた揺動機構により洗浄の効率化を行う洗浄装置に関する。
【０００２】
【従来の技術】
液晶表示装置のガラス基板の製造工程では、ガラス自体の保護と、強度を増すために、ガラス基板上に保護層をコーティングしている。このコーティングの際に、被コーティング面にキズが付かない様に、塵やゴミ等が存在しないようにする為に、ガラスの清浄性が要求される。その為、前工程に於いてガラスの洗浄が施される。洗浄には種々の方式の装置があるが、その中に侵漬式（ディップ式）の洗浄装置が知られている。この侵漬式の洗浄装置では、洗浄槽が目的に応じて純水、溶剤等の洗浄液で満たされておりガラスを侵漬して洗浄を行う。洗浄槽内には超音波発生装置の超音波振動子が設置されており洗浄液に超音波を照射し、振動によりガラス面の付着物の溶解又は分散を行う。
【特許文献１】
特開２０００−２９６３７２
【特許文献２】
特開２００２−３５３０９３
【特許文献３】
特開平１１−０９０３６４
【０００３】
【発明が解決しようとする課題】
しかし複数枚のガラスを洗浄槽内の洗浄液に侵漬させた場合、ガラスの位置又は付着物の状況によっては、洗浄液に超音波を照射したときの振動が伝わらず、期待される効果が十分得えられない場合や、ガラスの洗浄に時間が掛かるという課題があった。
【０００４】
【課題を解決するための手段】
そこで本発明は、水または洗浄液を貯水する貯水槽と、該貯水槽の下部に前記水または洗浄液に振動を与える振動発生装置と、貯水槽の上部にはモータに直結したプーリーと、該プーリーに接続された回転軸、揺動を発生するカムフロアからなる第１の揺動機構と、前記モータで発生した回転力を第２の揺動機構に伝達するためのベルトを設けた洗浄装置であり、前記回転軸に被洗浄体を収納したホルダーを載置するガラス基板洗浄装置を提案するものである。
【０００５】
【作用】
振動発生装置と、揺動機構から発生する揺動により、洗浄槽に貯水されている水または洗浄液が活発に攪拌され、洗浄しようとしているガラス基板の隅々まで、水または洗浄液を満遍なくいきわたらせる。
【０００６】
【実施例】
図１〜図４を参照して実施例を説明する。図１は洗浄装置の例である。洗浄槽２は、上面が開口されており洗浄液を満たすことが出来る。底部には超音波発生装置の超音波振動子９が設置される。超音波振動子９は洗浄槽の形状により側面に設置することも可能である。洗浄槽２の上部に設置された基台１には、モータ３が配置されている。モータ３の出力軸は回転軸４に接続され、回転軸４には、プーリー５が取り付けられており、対になっている回転軸４ａはベルト６によって伝達が行われる。なお揺動は対になっている揺動部８が同時に上下に揺動しなければならないため、対になっている回転軸４ａは同期しなければならないので、タイミングベルト、チェーン等により駆動する必要がある。回転軸にはそれぞれ２箇所にカムフロア７が固定されており、カムフロア７の上部に揺動部８が接触するように配置されている。モータ３の出力により回転軸４ａが回転し、カムフロア７が回転すると位相により、接触している揺動部８が長穴１ｂに従って、上下の揺動を行う。カムの位相を任意に設定する事により揺動の範囲は自由に設定することが可能である。
【０００７】
次に、図３を参照して、ガラス基板の保持を行うホルダーについて詳述する。
ホルダー１０は枠状又は箱状をなし上部には洗浄装置の揺動部８に着脱自在に固定されるようにＬ型の部材１０ａで構成される。又、Ｌ型の部材１０ａは洗浄装置の揺動部に乗るように、さらにガラス基板１１が洗浄液に侵漬するように適切な寸法が必要である。ガラス基板１１の保持部の部材１０ｂは一定の間隔を持って溝が付けられており、上部よりガラス基板１１を差し込み複数枚を着脱自在に保持することが出来る。
【０００８】
洗浄槽が単体の場合であるが、図４に示すように複数の連続する洗浄槽の場合、回転軸、揺動部の延長、カムフロアの追加により対応が可能である。
【０００９】
【発明の効果】
本発明は、洗浄槽の上部に揺動機構を配置した洗浄装置であるので、ガラス基板を保持するホルダーを洗浄液に侵漬し、ホルダーを上下に揺動させ、超音波洗浄と共に、洗浄液をまんべんなく攪拌することができるので、隅々まで洗浄液が行き渡り、効率的にガラス基板の洗浄を行う事が出来る。
【図面の簡単な説明】
【図１】本発明の実施例外観斜視図
【図２】本発明の実施例外観斜視図
【図３】ホルダーの斜視図
【図４】複数の洗浄槽を用いた場合の実施例
【符号の説明】
１  基台
２  洗浄槽
３  モータ
４  回転軸
５  プーリー
６  ベルト
７  カムフロア
８  揺動部
９  超音波振動子
１０  筐体
１１  ガラス
【図１】
2005046687.tif 000003
【図２】
2005046687.tif 000004
【図３】
2005046687.tif 000005
【図４】
2005046687.tif 000006
(57)【要約】【課題】  運動機器で消費されるエネルギーを有効活用する【解決手段】  人力精米（脱穀）機を運動機器に取り付け、運動の為の適度な負荷を生み出すと共に、運動で自家精米を行いそのエネルギーを有効活用する。【選択図】      図１
2005046826.tif 000002
【特許請求の範囲】
【請求項１】
筋力増進健康機器の回転負荷トルク発生装置において、トルク負荷として精米脱穀機を使用しその回転を人力で行うようにし、運動と精米が同時に行えるようにしたことを特徴とする人力精米脱穀健康機器。
【請求項２】
人力精米健康機器にはペダルが装着されており、ペダルを足でこぐことにより人力精米脱穀機が作動し運動と精米脱穀が同時に行えるようにしたことを特徴とする人力精米脱穀健康機器。
【発明の詳細な説明】
【発明の詳細な説明】
【技術分野】
【０００１】  本発明は健康器具における回転負荷トルク発生器に関するものである。
【背景技術】
【０００２】  これまでの健康器具の回転負荷トルク発生器はそのほとんどが投入エネルギーを摩擦熱として空気中に無駄に放散するものであった。
【発明が解決しようとする課題】
【０００３】  本発明の課題は、回転負荷トルクで消費されるエネルギーを日常生活で有効に利用できようなものにし健康増進と便利さの両方を兼ねる機器を提供することにある。
【課題を解決するための手段】
【０００４】  健康機器の回転負荷トルク発生装置として人力精米脱穀装置を使用する。
【発明を実施するための最良の形態】
【０００５】  本発明の請求項１に対応した実施の形態について図１を参照し説明する。【０００６】  人力精米脱穀機本体１には主軸４が通っていて米を精米しながら送り出すためのスクリューコンベア−３が取り付けられ、その端には人力で回転できるようにハンドル９が取り付けられている。主軸４が人力で回転するとスクリューコンベア−３は筒１２の中で回転し米粒に大きな圧力と回転摩擦を与えながら脱穀精米しストッパー５の壁の方向に米粒を送る。【０００７】  ストッパー５はスプリング６により加圧されているため、スクリューコンベア−３により米粒が運ばれ圧力が加わると後退し隙間１０を形成し、脱穀された米及び籾殻は隙間１０から溢れ落ち箱１１に貯蔵される。【０００８】  請求項２に対応する実施の形態を図２を参照し説明する。【０００９】自転車漕ぎ運動器具１３のペダル部には人力精米機１５が設置されており、そのペダルを足でこぐことにより運動と精米脱穀が同時に行われる。
【実施例】
【００１０】  図１に本発明による実施例を示す。【００１１】  人力脱精米穀機本体１の内部には米を集めて収納するホッパー２があり、投入された米を筒１２へ導いている。主軸４には螺旋形状のスクリュ−コンベアー３が取り付けられており、その両端には人力用の回転用ハンドル９が設けられている。筒１２内でスクリューコンベア−３が回転すると内部の米はゆっくりストッパー５の方向に送られ、その際米粒同士に発生する圧力と摩擦力により米と殻に脱穀精米される。主軸４の負荷トルクは米同士又は米と筒１２の内壁との摩擦力で生じる。【００１２】  ストッパー５は常にスプリング６により加圧されていて、スプリング６は半固定板７に支持され、半固定板７は圧力調整ネジ８で支持され、圧力調整ネジ８は主軸４に刻まれたネジに噛み合い、圧力調整ネジ８を締め付けるとストッパー５の予圧が高まり緩めると予圧は低下するようになっている。【００１３】  筒１２内でスクリューコンベア−３により搬送される米（殻）は最終的にストッパー５の壁にぶつかり、その圧力でストッパー５を後退させ筒１２とに隙間１０が生じその隙間から溢れ落ち貯蔵箱１１内に貯められる。貯蔵箱１１は引出しになっており米（殻）は簡単に取り出せるようになっている。【００１４】  精米脱穀の程度は圧力調整ネジ８の締め付けで調整できる。圧力調整ネジ８を締め付けバネ６の力を高めるとストッパー５の予圧が高まる為、内部の米の内圧が高まりその結果筒１２内の米粒同士の圧力（摩擦力）も高まり同時に筒１２内に留まる時間も増えより精米（脱穀）の度合いが進む。【００１５】  人力脱穀精米機の機能は例えば本体１を床に置き人が椅子に腰掛け両足でハンドル９を漕ぐことで実行される。ハンドル９には適度のトルク負荷が発生し適度な運動となり運動と同時に米の脱穀・精米が行われる。【００１６】  図２に別の実施例を示す。【００１７】  人力精米脱穀機１５はその主軸に自転車用のベダル１６が取り付けられており、ハンドル１４及びサドル１３で構成される自転車式運動機器に設置されている。自転車をこぐ要領でペダルを漕ぐと人力精米脱穀機の適度な負荷トルクで運動することになり、その消費エネルギーは自家精米脱穀というかたちで還元される。
【発明の効果】
【００１８】  本発明によれば自宅で手軽に運動を楽しみながら、美味しい自家精米米を食べることができる。
【図面の簡単な説明】
【図１】本発明による実施例の図である。
【図２】本発明による実施例の図である。
【符号の説明】
１、          本体
２、          ホッパー
３、          スクリューコンベア−
４、          主軸
５、          ストッパー
６、          スプリング
７、          半固定板
８、          圧力調整ネジ
９、          ハンドル
１０、        隙間
１１、        貯蔵箱
１２、        筒
１３、        サドル
１４、        ハンドル
１５、        人力精米（脱穀）機
１６、        ペダル
【図１】
2005046826.tif 000003
【図２】
2005046826.tif 000004
(57)【要約】【課題】  遊技機の外観意匠性を充分に向上させる。【解決手段】  外部から視認できる遊技機本体ないし当該遊技機本体に取り付けられる部品の表面Ｓに、これら表面Ｓに当たる光の方向や当該表面Ｓを見る方向の変化に応じて少なくとも色相が変化する塗膜２を形成する。上記塗膜２としては、光干渉性顔料３を含むものを使用できる。【選択図】        図１
2005046473.tif 000002
【特許請求の範囲】
【請求項１】
外部から視認できる遊技機本体ないし当該遊技機本体に取り付けられる部品の表面に、これら表面に当たる光の方向や当該表面を見る方向の変化に応じて少なくとも色相が変化する塗膜を形成したことを特徴とする遊技機。
【請求項２】
前記塗膜は光干渉性顔料を含むものである請求項１に記載の遊技機。
【発明の詳細な説明】
【技術分野】
【０００１】
本発明は遊技機に関し、特に、その意匠性の向上を図った遊技機に関する。
【背景技術】
【０００２】
従来、例えばパチンコ遊技機等においては、その意匠性の向上を図るために、前枠やガラス枠、あるいは球皿等に着色樹脂を使用したり、メッキ加工をしていた。
【０００３】
なお、特許文献１には、装飾カバーとして、透光性の樹脂成形体内に多数の微小片を埋設したものを使用したパチンコ遊技機が示されている。
【特許文献１】特開２００３−８１５
【発明の開示】
【発明が解決しようとする課題】
【０００４】
しかし、着色樹脂等を使用した上記従来の遊技機では、特に色相の変化がないために色彩が単調で、意匠性の向上が未だ不充分であるという問題があった。
【０００５】
そこで本発明はこのような課題を解決するもので、外観意匠性を充分に向上させることができる遊技機を提供することを目的とする。
【課題を解決するための手段】
【０００６】
上記目的を達成するために、本発明では、外部から視認できる遊技機本体（１１，１２，１３，１４）ないし当該遊技機本体に取り付けられる部品（１５）の表面（Ｓ）に、これら表面（Ｓ）に当たる光の方向や当該表面（Ｓ）を見る方向の変化に応じて少なくとも色相が変化する塗膜（２）を形成する。上記塗膜（２）としては、光干渉性顔料（３，４）を含むものを使用できる。ここで、塗膜には塗装、印刷インキ等のものを含む。
【０００７】
本発明においては、塗膜表面に当たる光の方向や当該表面を見る方向を変えると、これに応じて、塗膜表面の少なくとも色相が変化する。これにより、上記塗膜を形成した遊技機表面は多種の色相を呈することとなって、充分に意匠性が向上する。
【０００８】
なお、上記カッコ内の符号は、後述する実施形態に記載の具体的手段との対応関係を示すものである。
【発明の効果】
【０００９】
以上のように、本発明の遊技機によれば、店内に設置された遊技機の良し悪しを見極めようと遊技者が移動する際に遊技機表面の色相等の変化を同時に観賞することができる等、その外観意匠性を充分に向上させることができる。
【発明を実施するための最良の形態】
【００１０】
（第１実施形態）
図１には本発明の一実施形態におけるパチンコ遊技機１の正面図を示す。本遊技機１では、前枠１１、ガラス枠１２、球皿１３，１４等の遊技機本体、あるいは遊技機本体を構成する遊技盤上に取り付けられた役物１５等の表面（以下、単に遊技機表面という）に、以下に説明するような塗膜２が形成されている。塗膜２の概念的断面図を図２に示す。図２において、遊技機表面Ｓに塗布形成された塗膜２は、透光性のほぼ一定厚の塗料基材２１内に、数１０ミクロン程度の大きさの光干渉性顔料３を多数混入させたものである。光干渉性顔料３は例えば図３に示すように、数ミクロン厚の平滑なフレーク状シリカ（ＳｉＯ2）３１の表面に、光の波長程度の薄い数層の酸化チタン膜３２をコーティングしたもので、顔料３表面への入射光Ｌ１はシリカ３１を覆う酸化チタン膜３２の表裏で反射する際に光路差によって互いに干渉して、反射光Ｌ２においてはその反射角に応じてそれぞれ異なる色相が強調される。塗料基材２１内の各顔料３は図２に示すようにほぼ塗膜２表面に平行に配向しており、塗膜表面２に当たる光の方向や当該平面を見る方向を変えると、これに応じて、塗膜２表面の明度や彩度等とともにその色相が大きく変化する。これにより、上記塗膜２を形成した遊技機表面Ｓは多種の色相を呈することとなって、格段に意匠性が向上する。なお、上記塗膜２の下面や上面にさらに他の構成の適当な下塗り塗膜や上塗り塗膜を形成するようにしても良い。
【００１１】
（第２実施形態）
光干渉性顔料としては図４に示す構造のものを使用することもできる。図４において、顔料４は光の波長程度の薄い膜５１〜５５を５層に積層して構成されており、中央の金属膜５１は不透明の光反射膜となっている。金属膜５１の直上および直下には透明なガラス状膜５２，５３が形成され、ガラス状膜５２，５３の上面ないし下面に半透明の金属膜５４，５５が形成されている。ある入射角で上方から入射した光Ｌ１は顔料４表面と金属膜５１表面とで反射され、このときの光路差によって互いに干渉して、反射光Ｌ２においてはその反射角に応じてそれぞれ異なる色相が強調される。このような顔料４を第１実施形態と同様に塗料基材２１（図２）内で塗膜２表面に平行に配向させると、塗膜２表面に当たる光の角度や当該平面を見る角度を変えることによって、塗膜表面の明度等とともにその色相が大きく変化し、この結果、意匠性が向上する。
【図面の簡単な説明】
【００１２】
【図１】本発明の一実施形態を示す、パチンコ遊技機の正面図である。
【図２】遊技機表面に形成された塗膜の概念的断面図である。
【図３】塗膜内の光干渉性顔料の概念的斜視図である。
【図４】塗膜内の光干渉性顔料の他の例を示す概念的斜視図である。
【符号の説明】
【００１３】
１…遊技機、１１…前枠、１２…ガラス枠、１３，１４…球皿、１５…役物、２…塗膜、３，４…顔料、Ｓ…表面。
【図１】
2005046473.tif 000003
【図２】
2005046473.tif 000004
【図３】
2005046473.tif 000005
【図４】
2005046473.tif 000006
(57)【要約】【課題】  傾斜地を安定して歩く、滑り止め具を提供する。【解決手段】滑り止め具は刈り上げ用と，刈り下げ用の二種類とし、両足併用形とした。  また、傾斜地に、よりフィットするよう、山側は短く鋭角な突起した形とし、谷側は長く所々に溝を設けた。  なお，補助として中間部に補助滑り止め部を付けたものとした。【選択図】  図１
2005046486.tif 000002
【特許請求の範囲】
【請求項１】
滑り止め具は刈り上げようと、刈り下げようの二種類である。
【請求項２】
左足、右足の区別をつけず、併用できる形とする。
【請求項３】
前部の固定はスリッパのような形状のもので固定し、中間部及び後部は紐でそれぞれ固定する。
【発明の詳細な説明】
【技術分野】
【０００１】
本発明は傾斜地での草刈作業が出来る滑り止め具である。
【背景技術】
【０００２】
従来のものは殆んどがスパイク状のものであり土堤の傾斜角及び硬軟がバラついているため，使用が困難である。
【発明の開示】
【発明が解決しようとする課題】
【０００３】
本発明は傾斜地でのより安全な作業が出来る滑り止め具を提供する。
【課題を解決するための手段】
【０００４】
この滑り止め具はよりフィットするよう，山側は短く鋭角な突起な形にし，谷側は長く所々には溝を設けたものとする。
【発明の効果】
【０００５】
本発明の効果として種々の傾斜地に，よりフィットさせることが出来、また、より安全で楽な姿勢で傾斜地の草刈作業が出来る。
【発明を実施するための最良の形態】
【０００６】
以下、本発明の実施の形態を図１〜図４に基づいて説明する。
【０００７】
滑り止め具の底の形状に沿って山側は多数の短く鋭角な突起物６を設ける。
【０００８】
谷側は底の形状に沿って，大きく所々に溝５を設けた形状のものを設ける。
【０００９】
中間部は前部から後部までの補助滑り止め部４を設ける。
【００１０】
作業靴との固定は前部，中央部，後部の3ヶ所で固定する。
【図面の簡単な説明】
【００１１】
【図１】一部を省略した谷側側面図である。
【図２】背面図である。
【図３】底面図である。
【図４】一部を省略した山側側面図である。
【符号の説明】
【００１２】
1前部固定部
2中間部紐穴
3後部紐穴
4補助滑り止め
5谷側突起物
６山側突起物
【図１】
2005046486.tif 000003
【図２】
2005046486.tif 000004
【図３】
2005046486.tif 000005
【図４】
2005046486.tif 000006
(57)【要約】【課題】  年令に関係なく子供から老人まで手軽に作画を楽しめると同時に、装飾品としても優れた美観を有する、ゴム紐を利用した作画具を提供すること。【解決手段】  作画具１０は、表面に複数の係止ピン２４が設けられた平板２０と少なくとも１つの輪状のゴム紐３０からなる。平板２０上の係止ピン２４にゴム紐３０を掛けて行くことにより、平板２０に乗り物や動物等の形状や、様々なパターンの線画をつくることができる。  使用者は、ゴム紐の長さ、弾力性を考慮しながらゴム紐の配置を考えることになるので、想像力が発揮され、年令・性別に関係無く、手軽に作画を楽しむことができる。また、ゴム紐と平板との色のコントラスト等によって、優れた美観が生み出されるので、完成した線画を装飾品として鑑賞することもできる。【選択図】    図１
2005046429.tif 000002
【特許請求の範囲】
【請求項１】
表面に複数の係止ピンが設けられた平板と、少なくとも１つの輪状のゴム紐からなる作画具であって、
前記係止ピンに前記ゴム紐を掛けることにより、前記平板上に作画することを特徴とする、
輪状のゴム紐を利用した作画具。
【請求項２】
前記平板表面と前記ゴム紐の色が異なる、請求項１の作画具。
【請求項３】
前記係止ピンが前記平板両面に設けられた、請求項１又は２の作画具。
【発明の詳細な説明】
【技術分野】
【０００１】
本発明は、年齢に関係なく子供から老人まで手軽に作画を楽しめると同時に、装飾品としても優れた美観を有する、ゴム紐を利用した作画具に関する。
【背景技術】
【０００２】
作画や描画に関する玩具は、従来から多くの種類のものが知られている。これらの中には、描画の他に、音が出る等の副次的な機能を兼ね備えた玩具があり、その一例が特許文献１に開示されている。
【０００３】
一方、紐や糸を利用した玩具として、編機玩具がある。これは、子供が簡単なハンドル操作をすることにより毛糸編みができるようにした玩具である。編機玩具の一例が特許文献２に開示されている。
【特許文献１】実開平０６−０４６７９７号公報
【特許文献２】特公昭６１−０２７５０４号公報
【発明の開示】
【発明が解決しようとする課題】
【０００４】
しかし、従来の作画玩具の多くは、ボード上にペンで絵を描くタイプのものであり、ペン以外のもので作画する玩具はなかった。また、作画以外の機能を備えた玩具は存在するが、作画玩具自体を装飾品としても鑑賞できるような機能を備えた玩具は、従来、なかった。
一方、編機玩具の使用者は、主に小学生の女子を対象としているため、年齢や性別に関係なく、子供から成人・老人まで手軽に創作に興じることができる、紐や糸を利用した玩具はなかった。
【０００５】
本発明は、上記の点に鑑み、子供から老人まで、手軽に作画を楽しむことができると同時に、装飾品としても優れた美観を有する、ゴム紐を利用した作画具を提供することを目的とする。
【課題を解決するための手段】
【０００６】
本発明は、表面に複数の係止ピンが設けられた平板と、少なくとも１つの輪状のゴム紐からなる作画具であって、前記係止ピンに前記ゴム紐を掛けることにより、前記平板上に作画するようにした作画具によって、前記の課題を解決した。
【発明の効果】
【０００７】
本発明によれば、輪状のゴム紐の弾性を利用して伸ばしながら、係止ピンに掛けるという、やさしい動作によって、平板上に任意の形状を表現することができる。使用者は、ゴム紐の長さ、弾力性を考慮しながらゴム紐の配置を考えて行けばよいため、想像力を発揮して好みの図形をつくることができる。従って、年齢・性別に関係無く、子供から老人まで、手軽に作画を楽しむことができる。
また、ゴム紐と平板との色のコントラスト等によって、優れた美観が生み出されるため、本発明によってできた線画を装飾品として鑑賞することもできる。
【発明を実施するための最良の形態】
【０００８】
本発明を図１に基づいて説明する。
本発明の作画具１０は、表面に複数の係止ピン２４が設けられた平板２０と、輪状のゴム紐３０からなる。平板２０上の係止ピン２４にゴム紐３０を掛けることにより、平板２０上に乗り物や動物等の形状や、様々なパターンの線画をつくることができる。
【０００９】
平板２０とゴム紐３０は色が異なるようにすると、平板２０とゴム紐３０の色のコントラストが発揮される。使用者は、作画した後に、完成品を装飾品として部屋に飾り、鑑賞することができる。
【００１０】
図２は平板２０の側面図である。この平板２０の上部・下部両面に、複数の係止ピン２４が設けられている。これにより、両面にゴム紐３０を掛けることができるため、表面・裏面に２種類の作品を創作することが可能である。
裏面上の係止ピン２４は表面上の係止ピン２４より長さを短くしてある。このように、裏面上の係止ピン２４を短くしておくと、ゴム紐３０が掛けにくくなるので、手先に注意が集中することで、手のリハビリ等に効果がある。
一方、係止ピンが長いと、ゴム紐をより多く掛けることができて、より細かい図形の作成が可能になる。
【００１１】
図３は、図１の平板の形状と係止ピンの本数を変えた作画具の概要図であり、表面に係止ピン２４が設けられた平板２０Ａ，２０Ｂと、３つの輪状のゴム紐３０からなる。平板２０Ａ，２０Ｂは、相補い合う形状であるが、異なる色になっている。これらの平板２０Ａ，２０Ｂを組合わせて使用することにより，平板２０Ａ，２０Ｂとゴム紐３０との色のコントラストが強調され、図１よりさらに優れた美観を生み出す効果がある。また、平板２０Ａ，２０Ｂをそれぞれ別個独立に使用することも、当然、可能である。
【００１２】
次に、図４は、図１の平板の形状を熱帯魚の形にし、係止ピンの本数も変えた作画具の実施形態の概要図であり、表面に係止ピン２４’が設けられた平板２０’からなる。なお、平板の形は、図４の他にも、動物の形や花の形等が考えられる。このように、平板の形を魚の形や動物の形にすることにより、子供や老人が、ゴム紐を利用した作画に親しみを持ち、気軽に作画を楽しむことができる効果がある。
【００１３】
また、係止ピンの数とゴム紐の大きさや色数を増やす程、作画が詳細にできるため、芸術品としての価値も高くなる。
【産業上の利用可能性】
【００１４】
本発明によれば、ゴム紐の弾力性や色を考慮しながらゴム紐の配置を決めることによって作画を楽しむことができるので、手先のリハビリテーション用の用具として、或いは、老人の痴呆を防止するための用具としての効果が大である。
また、ゴム紐の色数を増やすことにより、アートセラピー（芸術療法）の道具としても利用することができる。
【図面の簡単な説明】
【００１５】
【図１】本発明の作画具の実施形態の斜視図。
【図２】本発明の作画具の実施形態の側面図。
【図３】相補い合う２枚の平板を組合わせた作画具の実施形態の斜視図。
【図４】平板の形状が熱帯魚の形である作画具の実施形態の平面図。
【符号の説明】
【００１６】
１０：作画具
２０，２０’：平板
２０Ａ：平板
２０Ｂ：平板
２４，２４’：係止ピン
３０：ゴム紐
【図１】
2005046429.tif 000003
【図２】
2005046429.tif 000004
【図３】
2005046429.tif 000005
【図４】
2005046429.tif 000006
(57)【要約】【課題】加熱加工された食肉の食感が悪い、旨味が薄い、素材の味が落ちる、従って製品の利用範囲も少ない。【解決手段】食肉を加熱加工する時に食肉素材から出てくる、肉汁・旨味・脂肪・水分等を逃がさないように、食肉素材を容器に入れて（ビニール袋・レトルト袋・その他素材を包み込んでしまう物・器等々）水等を介するか直接加熱する。尚加熱時の温度は７０度Ｃ〜１００度Ｃ以下（食肉素材により、又求める仕上がりの肉質により設定温度を変える）とし、一定温度を持続させ素材肉の中心まで熱を通す。加熱後はそのままの状態で流出液と共に冷却する。食肉素材をビニール袋等に入れて加熱加工するときは、真空加工をしたほど仕上がりが良い。【選択図】    図１
2005046052.tif 000002
【特許請求の範囲】
【請求項１】
食肉を加熱加工するときに素材自体を直接容器入れて加熱・冷却処理をする食肉の加熱加工方法。
【請求項２】
「請求項１」の食肉を加熱加工するときは温度を７０度C〜１００度C以下で素材の中心まで熱が加わるように処理をする食肉の加熱加工方法。
【発明の詳細な説明】
【技術分野】
【０００１】
本発明は加熱肉の製法に関するものである。
【背景技術】
【０００２】
食肉の加熱加工について、従来は素材自身に直接加熱をするか、温水・蒸気・油を仲立ちとして直接加熱していた。最近ではマイクロ波・高周波も使われるようになってきた。（例えば、特許文献１参照。）
【０００３】
【特許文献１】特開平９―２３８５５号公報
【発明の開示】
【発明が解決しようとする課題】
【０００４】
従来の技術による加熱方法では加熱時に当然のように、食肉からは肉汁・脂肪分・旨味・水分その他が流れ出てしまいます。又流れ出しを防ごうと水の中に色々工夫をしているが限界が有ります。従来の技術では多少の差は有れども、仕上がりは味気なく・パサパサと食感も悪くなる。特に鶏の胸肉などはその現象がはっきりしている。又他にも脂肪分の少ない食肉ではその現象がはっきり見られる。よってこの様に従来の方法で加熱加工された加熱肉は商品として利用範囲も少なく店頭に並ぶ事は少なかった。一般的には二次加工・三次加工されて商品化していた。又二次加工・三次加工する事を目的に加熱加工をしてきた。特許文献１の場合、素材の外側と内側では加熱温度が違う為直接加熱と全く反対の結果に仕上がってしまう（電子レンジで加熱し過ぎ状態）。又この場合もおおむね二次加工・三次加工を目的に考案されていると思われる。
【課題を解決するための手段】
【０００５】
加熱時に食肉素材を直接容器（ビニール袋・レトルト袋・その他素材を包み込んでしまうもの・器・等々）に入れて（加熱時に出てくる肉汁類が流れ出て失われない様に）加熱加工する。その加熱時の温度は７０度Ｃ〜１００度Ｃ以下とする。加熱温度が低い為中心まで同じ温度にするには多少の時間はかかります。その後容器の中にたまった肉汁その他の流出物に素材を入れたまま冷却します。
【発明の効果】
【０００６】
上記のように食肉素材を加熱加工する時は、ビニール等で包み込むか、又は容器にいれることにより加熱時食肉より出てくる旨味・脂肪分・肉汁・水分等が流失せず、素材の加熱作業が終了した後、流出物と素材が共に冷やされる過程において旨味等を再吸収する。加熱温度を７０度Ｃ〜１００度Ｃ以下に設定することにより、タンパク質の変化具合をコントロールする事が出来る。肉質は柔らかくジューシーな、旨味のある製品に仕上がる事になるゆえ利用範囲も広がる。また、中心まで完全に熱を通しているので再加工を必要としない。加熱時に素材をビニール等で真空包装をしておくと、殺菌されて保存剤とか殺菌剤が不必要の保存が出来ます、尚仕上がりが良くなります。
【発明を実施するための最良の形態】
【０００７】
加熱加工時に食肉素材を、たとえばビニール袋（真空処理をすると仕上がりがよい）に入れて設定された温度のお湯のなかに沈め設定温度を保つように加熱を続け、素材の中心まで熱が伝わると加熱をやめそのまま冷却します。わかりやすい様に、鶏の胸肉を用いてみると温度は７０度Ｃ〜８０度Ｃで３０分程度加熱を続ける。その後食肉素材も肉汁等も袋に入ったまま冷却します。
【実施例】
【０００８】
図１は、本発明の実施例である。本発明により加熱加工された鶏のむね肉を７年間にわたり、色々の人に食してもらいその都度反応を聴かせてもらいました。結果鶏の嫌いな人以外は絶大な好評を頂きました。その中でも２次加工・３次加工しないでそのまま食べる料理方法が特に良かったようです。素材をスライスしてそのまま・サラダに・酢の物・和え物・等に使ってもらえたようです。評ですがまず旨い・柔らかい・ジューシー・鶏とは思えない・手軽・封を開けなければ長持ちする等々、沢山のおほめを頂きました。
【図面の簡単な説明】
【０００９】
【図１】食肉素材（１）をビニール袋（２）に入れて、鍋（３）の中の湯（４）に沈めるところの説明図である。コンロ（５）で加熱をする。設定温度は温度計（６）で確認しながら食肉素材の中心まで確実に熱を通す。加熱後は食肉素材をビニール袋の中に入れたまま冷却します。
【符号の説明】
【００１０】
１  食肉素材
２  ビニール袋
３  鍋
４  湯
５  コンロ
６  温度計
【図１】
2005046052.tif 000003
(57)【要約】【課題】  本発明は特に緑茶飲料に効果的な茶系フレーバーを提供することを目的とする。【解決手段】４−エトキシ−２−メチル２−ブタンチオールを有効成分として含有することを特徴とする茶系フレーバー。特に０．１〜１０ｐｐｂの範囲で添加することによりナチュラルで嗜好性の高い香味を持つ緑茶飲料を得ることが出来る。【特許請求の範囲】
【請求項１】
４−エトキシ−２−メチル−２−ブタンチオールを有効成分として含有することを特徴とする茶系フレーバー。
【請求項２】
４−エトキシ−２−メチル−２−ブタンチオールを有効成分として含有することを特徴とする緑茶フレーバー。
【請求項３】
請求項１または２に記載の茶系フレーバーを含有する飲食品。
【請求項４】
４−エトキシ−２−メチル−２−ブタンチオールを０．１〜１０ｐｐｂの範囲で添加することを特徴とする緑茶飲料。
【発明の詳細な説明】
【技術分野】
【０００１】
本発明は嗜好性の高い茶系フレーバー、特に緑茶フレーバーに関するものである。
【背景技術】
【０００２】
４−エトキシ−２−メチル−２−ブタンチオールは、その製法および香料への用途が知られている（特許文献１）。しかしながら、その用途は花様の香気を賦与するか、もしくはフルーツ系のフレーバーで、フルーティなイメージを強調したり、完熟感を賦与するなどの可能性が示唆されているに過ぎない。
【０００３】
また茶飲料用添加剤として４−メトキシ−２−メチル−２−ブタンチオールが知られているが（特許文献２）、食品以外を想起させる香りが強く、保留性に乏しいという問題があった。
【特許文献１】仏国特許出願公開第２６５３７６６号公報
【特許文献２】特開２０００−３４２１７８号公報
【発明の開示】
【発明が解決しようとする課題】
【０００４】
本発明はより効果的な茶飲料用添加剤を提供することを目的とする。
【課題を解決するための手段】
【０００５】
本発明は、４−エトキシ−２−メチル−２−ブタンチオールを有効成分として含有することを特徴とする茶系フレーバーであり、特に緑茶フレーバーに好適に使用される。
【０００６】
さらには、前記茶系フレーバーを飲食品に添加することにより嗜好性の高い茶系フレーバーを有する飲食品を得ることができる。特に緑茶飲料に添加することにより良質な香味を有する緑茶飲料が得られる。
【発明の効果】
【０００７】
本発明４−エトキシ−２−メチル−２−ブタンチオールを含有する茶系フレーバーを添加することにより、茶類の風味を増強し、もしくは改善し、嗜好性を高めることができる。特に緑茶フレーバーに適用することにより、よりナチュラルで嗜好性の高い香味をもつ茶飲料を提供することができる。
【発明を実施するための最良の形態】
【０００８】
本発明の茶系フレーバーは、４−エトキシ−２−メチル−２−ブタンチオールを含有することを特徴とする。
【０００９】
本発明の４−エトキシ−２−メチル−２−ブタンチオールは公知の化合物であり、公知の方法によって得ることができる。たとえば、仏国特許出願公開第２６５３７６６号公報に記載されている様に、フェニルメタンチオールとジメチルアクリル酸メチルエステルを反応させ、３−ベンジルチオ−３−メチル酪酸メチルエステルとした後、水素化アルミニウムリチウムによる還元、ハロゲン化エチルとの反応によるエトキシ化の後、液体アンモニア中で金属ナトリウムの存在下、脱ベンジル化反応を行う方法で合成することができる。
【００１０】
本発明によれば、４−エトキシ−２−メチル−２−ブタンチオールを単独、または他の香料成分と配合して茶系フレーバーとすることができる。これらの茶系フレーバーは、エタノール、プロピレングリコール、グリセリンなど食品に使用可能な溶剤で希釈してもよい。また、４−エトキシ−２−メチル−２−ブタンチオールは、他の素材に比して一般に配合量が少ないため、取り扱いを容易にする目的で該化合物を前記のごとき溶剤で希釈した後、他の素材と配合することもできる。
【００１１】
本発明の茶系フレーバーは、４−エトキシ−２−メチル−２−ブタンチオールの他に、シス−３−ヘキセノール、ベンジルアルコール、ヘキサナール、リナロールオキサイド、フルフラール、β−イオノン、インドールなど、従来茶系フレーバーに使用される公知の香料化合物や、茶エキストラクト、茶類の回収フレーバーなど公知の天然香料と適宜組み合わせて茶系香料を製造することができる。
【００１２】
本発明の緑茶フレーバーは、添加する飲食品によって異なるが、たとえば、緑茶飲料の場合、４−エトキシ−２−メチル−２−ブタンチオールを０．１〜１０ｐｐｂ含有することを好ましい態様として例示することができる。
【００１３】
本発明の茶系フレーバーは、緑茶、紅茶、ウーロン茶などの茶類のフレーバー、特に緑茶フレーバーに使用することで、コク味を補強し、全体に柔らかい風味を賦与することができる。また、緑茶フレーバーにおいて、グリーンリーフィな香気以外の特徴を賦与することができ、より天然感を有するフレーバー組成物を得ることができる。これらのフレーバーは、茶飲料、菓子、冷菓のごとき食品に好適に用いられる。特に緑茶飲料に用いることにより、従来にないよりナチュラルな緑茶様香味を有する飲料を得ることができる。
【実施例１】
【００１４】
以下の処方で基礎緑茶フレーバーを試作した。
【００１５】
成  分                      質量％  
――――――――――――――――――――――――――――――  
アミルアルコール              ０．５
ベンジルアルコール            ２
シス−３−へキセノール        ０．０５
フルフラール                  １
γ−ヘキサラクトン            ０．３
ゲラニオール                  ０．０１
インドール                    ０．０１
リナロールオキサイド          １
マルトール                    ０．０２
メチルサリシレート            ０．０１
緑茶ベース                    ５
９９％エタノール            残量
――――――――――――――――――――――――――――――――
計                    １００
【００１６】
上記の基礎緑茶フレーバーに、４−エトキシ−２−メチル−２−ブタンチオールの１質量％エタノール溶液を０．１質量％添加したもの、同様に４−メトキシ−２−メチル−２−ブタンチオールを添加したもの、および無添加の緑茶フレーバーとで香気を４名の専門パネラーにより比較した。比較は前記フレーバーを匂い紙に付けたものの香気、水に質量比で０．１％を添加したものを試飲することにより行った。
【００１７】
その結果、４−エトキシ−２−メチル−２−ブタンチオールを添加したものは、無添加のものに対して、コク味があり、全体に香味が柔らかく、より緑茶らしい香気であった。また４−メトキシ−２−メチル−２−ブタンチオールを添加したものに対して、トップの香気に持続性があり好ましいと評価された。
【産業上の利用可能性】
【００１８】
本発明により、効果の高い茶飲料用添加剤、およびより嗜好性の高い緑茶風味を有する飲食品を得ることが出来る。